(57)【要約】      （修正有）【課題】本発明は、ＬＥＤ発光体の照射角度を簡単に調整できる高輝度ＬＥＤ前照灯を提供する。【解決手段】ＬＥＤを装填した灯具を口金係合片５により嵌合係止する前照灯において、円柱状の上端部、ＬＥＤが装着された板状中間部、円柱状の下端部からなる熱伝導棒と放熱台座３０からなり、熱伝導棒の下端部を放熱台座３０に圧入して一体化したＬＥＤを装填した灯具であって、熱伝導棒下端部を貫通する穴に調整ピン４を嵌入させ、調整ピン４より下方に口金係合片５と一体化したスリットを有する薄い円筒状調整用台座が嵌合され、円筒状調整用台座と放熱台座３０の間にＯリング９が装着されており、円筒状調整用台座を押し下げてＬＥＤを装填した灯具を回転させて角度を調整し、調整後はＯリング９の付勢によりスリットに調整ピン４が保持される。【選択図】図１０
2018078086.tif 000002
【特許請求の範囲】
【請求項１】
前照灯本体と、ＬＥＤを装填した灯具を口金係合片５により嵌合係止する前照灯において、ＬＥＤを装填した灯具は、円柱状の上端部、ＬＥＤが装着された板状中間部、円柱状の下端部からなる熱伝導棒と放熱台座３０からなり、熱伝導棒の下端部を放熱台座３０の取り付け部内周面に圧入して一体化したＬＥＤを装填した灯具であって、熱伝導棒の下端部のスリット７位置より、下方に、熱伝導棒下端部を貫通する穴４’を設け、調整ピン４を嵌入させ、調整ピン４より、下方に口金係合片５と一体化したスリット７を有する薄い円筒状調整用台座６が熱伝導棒円柱状下端部に回転自在に嵌合され、さらに薄い円筒状調整用台座６と放熱台座３０の間に弾性部材からなるＯリング９が装着されており、ＬＥＤを装填した灯具の角度を調整したいときは、円筒状調整用台座６を押し下げ、スリット７位置より、下方でＬＥＤを装填した灯具を調整回転させ、調整後押し下げていた円筒状調整用台座６を放すと、弾性部材からなるＯリング９による付勢により、口金係合片５と一体化したスリット７に調整ピン４が押し付けられることにより、ＬＥＤを装填した灯具を前照灯本体に対して安定できる調整機構付きＬＥＤ搭載高輝度前照灯。
【請求項２】
前記弾性部材が、ゴムまたはバネであり、前記熱伝導棒、前記口金係合片５の材質がアルミニウムまたは銅であることを特徴とする記載された請求項１に記載した調整機構付きＬＥＤ搭載高輝度前照灯。
【請求項３】
前記放熱台座３０に冷却ファンを設けることにより冷却することを特徴とする請求項１又は請求項２に記載したＬＥＤ搭載高輝度前照灯。
【請求項４】
光源中心部から口金基準面までの距離が、27.25ｍｍ、27.4ｍｍ、26.85ｍｍ、27.5ｍｍ、27.05ｍｍ、31.5ｍｍ、18.0ｍｍ、31.25ｍｍ、27.1ｍｍである請求項１ないし請求項３のいずれかに記載されたＬＥＤ搭載高輝度前照灯。
【発明の詳細な説明】
【技術分野】
【０００１】
本発明は、発光ダイオードを用いた照明灯及び車両用前照灯、特に、照射角度を調整できる発光ダイオードを用いた自動車用高輝度ＬＥＤ前照灯に関するものである。
【０００２】
近年、発光ダイオードは、低電力で高発光が得られること、寿命が長いこと、構造が簡単なこと、装置がコンパクトであること、など、長所が多いことがら、暫時その使用が広まっている。しかしながら、高温になると効率が著しく低下することが、欠点として挙げられる。したがって、いかに光源を冷却するかが重要なこととなる。また、自動車用高輝度ＬＥＤ前照灯を取り付ける際に、微妙にＬＥＤ発光体の照射角度を調整する必要に迫られることがある。本件発明は、ＬＥＤ発光体の照射角度を簡単に調整できる高輝度ＬＥＤ前照灯に関する。
【背景技術】
【０００３】
特許文献１には、バルブホルダを口金に対してバルブホルダの中心軸方向に沿った方向に移動させることができる車両用灯具を提供することを課題として、筒状保持体には、調整ネジが挿入されるネジ挿入孔が形成され、ＬＥＤモジュールの回転軸部には、筒状保持体の周方向および中心軸方向に沿って延在する保持溝が形成されており、この保持溝の底面は、調整ネジの先端が突き当て可能であり、ＬＥＤモジュール７を筒状保持体に対して所定角度だけ回転させると共に中心軸方向に沿って所定距離だけ移動させることが記載されている。
【０００４】
特許文献２には、発光ダイオードで発生する熱を効率よく逃がすコンパクトなシングル型高輝度ＬＥＤ前照灯を提供することを課題とし、ハイビーム用又はロービーム用のどちらか１個の発光ダイオードを搭載したプリント配線基板を張り付けた銅板を２枚用意し、アルミニウムで一体成型された熱伝導棒で、上端と下端の円柱のほぼ中心部に板状中間部があり、中間部に設けられた銅板取り付け平面を介してその両面に銅版を取り付け、熱伝導棒下端の円柱部の下にアルミニウム製口金の中心部の貫通穴を貫通し、熱伝導棒の足部は放熱フィンを有し中心部が空洞になっているアルミニウム製放熱台座の口金に回転自在に嵌合させる一方、アルミニウム製口金外周面を放熱台座の口金内周面に圧入して固定し、アルミニウム製口金の側面にネジ穴を設けて、熱伝導棒の角度を微調整した後、熱伝導棒をネジで固定することが記載されている。
【０００５】
特許文献３には、蛍光灯型ＬＥＤランプの口金部分の角度調整機構を提供することを課題として、蛍光灯型ＬＥＤランプの口金部において、蛍光灯型ＬＥＤランプの口金部を２つのパーツＡ、Ｂより構成して、パーツＡは蛍光灯型ＬＥＤランプの端部に固定して、パーツＢはパーツＡと着脱可能として、パーツＡに所定角度のピッチでミゾを設け、パーツＢに前記ミゾに嵌る形状のツメを設け、パーツＡとパーツＢの結合の角度の調整により、蛍光灯型ＬＥＤランプの射光方向の調整が可能である、ことが記載されている。
【０００６】
【先行技術文献】
【特許文献】
【０００７】
【特許文献１】特開２０１６−１６２６２０号公報
【特許文献２】特開２０１６−８１６８８号公報
【特許文献３】特開２０１０−２４４８１０号公報
【発明の開示】
【発明が解決しようとする課題】
【０００８】
従来、前照灯用の発光ダイオードの光軸の角度調整は、イモネジを用いているのが通常であった。しかしながら、イモネジを用いている角度調整機構は、調整に手間がかかり、自動車の振動とともにネジが緩んでくることがあり、改良が望まれていた。本件発明は、ＬＥＤ発光体の照射角度を簡単に調整できる高輝度ＬＥＤ前照灯に関する。
【課題を解決するための手段】
【０００９】
すなわち本発明は、前照灯本体（図示せず）と、ＬＥＤを装填した灯具を口金係合片５により嵌合係止する前照灯において、ＬＥＤを装填した灯具は、円柱状の上端部、ＬＥＤが装着された板状中間部、円柱状の下端部からなる熱伝導棒と放熱台座３０からなり、熱伝導棒の下端部を放熱台座３０の取り付け部内周面に圧入して一体化したＬＥＤを装填した灯具であって、熱伝導棒の下端部のスリット７位置より、下方に、熱伝導棒下端部を貫通する穴４’を設け、調整ピン４を嵌入させ、調整ピン４より、下方に口金係合片５と一体化したスリット７を有する薄い円筒状調整用台座６が熱伝導棒円柱状下端部に回転自在に嵌合され、さらに薄い円筒状調整用台座６と放熱台座３０の間に弾性部材からなるＯリング９が装着されており、ＬＥＤを装填した灯具の角度を調整したいときは、円筒状調整用台座６を押し下げ、スリット７位置より、下方でＬＥＤを装填した灯具を調整回転させ、調整後押し下げていた円筒状調整用台座６を放すと、弾性部材からなるＯリング９による付勢により、口金係合片５と一体化したスリット７に調整ピン４が押し付けられることにより、ＬＥＤを装填した灯具を前照灯本体に対して安定できる調整機構付きＬＥＤ搭載高輝度前照灯である。
また、本発明の調整機構付きＬＥＤ搭載高輝度前照灯においては、前記弾性部材が、ゴムまたはバネであり、前記熱伝導棒、前記口金係合片５の材質がアルミニウムまたは銅とすることができる。
【００１０】
さらに、本発明の調整機構付きＬＥＤ搭載高輝度前照灯においては、前記放熱台座３０に冷却ファンを設けることにより冷却することができる。
また、本発明の調整機構付きＬＥＤ搭載高輝度前照灯においては、光源中心部から口金基準面までの距離が、27.25ｍｍ、27.4ｍｍ、26.85ｍｍ、27.5ｍｍ、27.05ｍｍ、31.5ｍｍ、18.0ｍｍ、31.25ｍｍ、27.1ｍｍとすることができる。
【発明の効果】
【００１１】
本発明によれば、機種、型式、製造業者により、それぞれすこしずつ異なる車両用灯具において、ユーザの要請によりＬＥＤ搭載高輝度前照灯が必要となれば、適宜照射角度を簡便に調整でき、確実に適応することができるので、非常に効果的である。
【図面の簡単な説明】
【００１２】
【図１】は、本発明の熱伝導棒の側面断面図。
【図２】は、本発明の熱伝導棒の正面断面図
【図３】は、本発明の熱伝導棒の側面図。
【図４】は、本発明の熱伝導棒の正面図
【図５】は、本発明の口金係合片の斜視図。
【図６】は、本発明の口金係合片の平面図
【図７】は、本発明の口金係合片の断面図
【図８】は、本発明の口金係合片の側面図
【図９】は、本発明の口金係合片の側面図
【図１０】は、本発明の全体図
【発明を実施するための形態】
【００１３】
図１において、１は、熱伝導棒を側面断面から見た図である。熱伝導棒１は、円柱状の上端部、ＬＥＤが装着された板状中間部、円柱状の下端部からなる。前照灯本体と、ＬＥＤを装填した灯具を口金係合片５により嵌合係止する前照灯において、ＬＥＤを装填した灯具は、熱伝導棒１と放熱台座３０からなり、熱伝導棒の下端部を放熱台座３０の取り付け部内周面に圧入して一体化したＬＥＤを装填した灯具であって、本件発明では、ＬＥＤを装填した灯具の角度の微調整に適した構造を提供するものである。
２は、板状中間部でそのほぼ中央の両面に１個又は２個のＬＥＤが装填される。３は、熱伝導棒の足部である。図示しない半導体回路基板、銅板、リード線等により、ＬＥＤに通電され、点灯又は非点灯とされる。熱伝導棒は、アルミニウム製又は銅製とされる。ＬＥＤのリード線は、熱伝導棒の中心部の空洞を通って、外部電源に接続される。
図２は、正面断面図であり、典型的には、板状中間部２が、熱伝導棒と一体の棒材から切り出されているのを示す。熱伝導棒の中心部が空洞であることが理解できる。
【００１４】
図３は、熱伝導棒１の側面図で、調整用ピン４を図示している。熱伝導棒下端部を貫通する穴４’を設け、調整ピン４を嵌入させる。
調整用ピン４は後述する口金５の調整用座部の凹凸と係合する。調整用ピン４は、細い棒状で、熱伝導棒の軸方向と直角に伸びており、断面円板状中間部の表面、裏面に設けることができる。
【００１５】
調整用ピン４は、口金係合片５に設けられたスリット７を有する調整用台座６により、熱伝導棒１が口金の中心穴に挿入され、口金係合片を通過し、回転可能であり、後述するゴム製Ｏ−リング等の弾性部材９により付勢され、口金５の調整座部６のスリット７に押し付けられる。調整用ピン４は、左右対称に伸びているのが好ましいが、これに限られるものではない。
第４図は、板状中間部を正面にみた図である。LEDの数は１個でも複数個でもよい。ハイビーム及びロービームを有するときは、LEDは、２個となる。
また、LEDは、板状中間部の表面と裏面に設けることができる。
図５は、口金５の斜視図である。口金の内側に調整用座部６が図示されている。調整用座部の半径の大きさは、図示されたものに限らず、どのような大きさでも構わない。調整用座部６は、スリット７を有し、調整用ピン４をスリット７の溝で保持する。図６は、口金の平面図である。調整ピン４が通過するスロット４’が図示されている。座部のフランジの形状は、JISにより決まるもので、本件の場合は、切り欠きが二つあり、上方に突出する突片を形成している。
【００１６】
メーカーの照明装置の灯具の型式により、いろいろな灯具があり、搭載する灯具をそれぞれ調整する必要がある。その調整するとき、本件に係る発明の灯具が有用である。
調整用座部６の軸方向先端方向面に凹凸が設けてあり、調整用ピンと係合して角度を調整する。凹凸の形状は、調整用ピンの断面に合わせて形状が決まる。この場合断面円形なので、それが係合しやすいピンの断面と同じ断面円形凹面となるのが良い。
また、細かく調整するのであれば、細かい半径の円形断面とするのが好ましい。
【００１７】
第７図は調整用座部の断面図で、軸方向中心に熱伝導棒１が嵌合しており、熱伝導棒１が後部から挿入され、調整用ピン４が、スロット４’を通過して、弾性部材９の付勢に抗して、熱伝導棒１を口金５方向に押し下げ、回転させ、調整用ピン４をスロット４’を除く他の一に係合させて、熱伝導棒１に設けられた、LEDの光の照射方向を調整する。所望の位置で手を放して弾性部材９の付勢に抗する力を抜くと、調整用座部６のスリット７が押し上げられて、調整用ピン４をスリット７に保持することができ、熱伝導棒１を所定の位置で係止させることができる。
図１０は、熱伝導棒と口金を組み合わせた側面図で、口金５は、熱伝導棒１の調整ピン４と、弾性部材９による付勢力により、挟まれている。
熱伝導棒を回転したい場合には、弾性部材の付勢力に抗して、口金を後方に引っ張り、調整用ピンを調整用座部の凹凸の係合を外して、回転させ、口金を離せば、他の調整用口金の凹凸の係合することにより、調整を自由にすることができる。
【００１８】
車両の前後方向に伸びる光軸上に、投影レンズ及び光源支持体の中心軸を配置し、光源支持体には、発光ダイオードよりなる光源を光軸に対して上面及び／又は下面に取り付け、光源より発した光が、前記投影レンズを通して光軸方向にほぼ投影するように、前記光軸上に反射鏡を設けた車両用前照灯において、熱伝導棒に装着したLEDを光源として用いるＬＥＤ搭載高輝度前照灯である。
【００１９】
熱伝導棒を前照灯装置に装着した場合、光源中心部から口金基準面までの距離が、27.25ｍｍ、27.4ｍｍ、26.85ｍｍ、27.5ｍｍ、27.05ｍｍ、31.5ｍｍ、18.0ｍｍ、31.25ｍｍ、27.1ｍｍであるとすることが好ましい。
【産業上の利用可能性】
【００２０】
本発明の高輝度ＬＥＤ前照灯は、市場に広く販売されているハロゲンランプを高輝度ＬＥＤ前照灯に取り換える場合、簡単にかつ確実に取り付け角度を調整でき、取り換えることができる有用な高輝度ＬＥＤ前照灯を提供することで、自動車産業にとり、必要不可欠なものである。
【符号の説明】
【００２１】
１・・・熱伝導棒
２・・・板状中間部
３・・・熱伝導棒の足部
４・・・調整ピン
４’・・・スロット
５・・・口金係合片
６・・・調整用座部
７・・・スリット
８・・・口金の円筒部
９・・・弾性部材Ｏリング
１１・・・LED
３０・・・放熱台座
【図１】
2018078086.tif 000003
【図２】
2018078086.tif 000004
【図３】
2018078086.tif 000005
【図４】
2018078086.tif 000006
【図５】
2018078086.tif 000007
【図６】
2018078086.tif 000008
【図７】
2018078086.tif 000009
【図８】
2018078086.tif 000010
【図９】
2018078086.tif 000011
【図１０】
2018078086.tif 000012